(57)【要約】【課題】簡易な構成で、揮散剤の揮散量をコントロールすることが可能な揮散剤容器を提供する。【解決手段】揮散剤を収容する容器本体１０と、容器本体１０に装着される揮散キャップ２０とを備え、容器本体１０に収容された揮散剤を吸い上げて揮散させる揮散剤容器１であって、揮散キャップ２０は、隔壁開口２２ａが形成された隔壁２２を有し、容器本体１０に装着されるキャップ本体と、隔壁開口２２ａを外側から覆うように隔壁２２に沿って配置される上蓋２３とを有し、上蓋２３は、キャップ本体に一体に連結されるベース部２３ａと、隔壁２２に沿ってスライド可能なスライド部２３ｃと、ベース部２３ａ及びスライド部２３ｃを一体に連結する折り畳み可能な連結片２３ｂとを有し、ベース部２３ａとスライド部２３ｃの間に形成される上蓋開口２３ｄの開口面積を変更可能に構成されていることを特徴とする。【選択図】図１
2020183244.tif 000002
【特許請求の範囲】
【請求項１】
揮散剤を収容する容器本体と、該容器本体に装着される揮散キャップとを備え、前記容器本体に収容された揮散剤を吸い上げて揮散させる揮散剤容器であって、
前記揮散キャップは、隔壁開口が形成された隔壁を有し、前記容器本体に装着されるキャップ本体と、前記隔壁開口を外側から覆うように前記隔壁に沿って配置される上蓋とを有し、
前記上蓋は、前記キャップ本体に一体に連結されるベース部と、前記隔壁に沿ってスライド可能なスライド部と、前記ベース部及び前記スライド部を一体に連結する折り畳み可能な連結片とを有し、前記ベース部と前記スライド部の間に形成される上蓋開口の開口面積を変更可能に構成されていることを特徴とする揮散剤容器。
【請求項２】
前記ベース部は、ヒンジ部を介して前記キャップ本体に連結されている、請求項１に記載の揮散剤容器。
【請求項３】
前記ベース部は、該ベース部を前記キャップ本体に係合保持するための係合部を有する、請求項１又は２に記載の揮散剤容器。
【請求項４】
前記スライド部は、前記隔壁に対する該スライド部のスライド方向を規制するスライドガイド部を有する、請求項１〜３の何れか一項に記載の揮散剤容器。
【請求項５】
前記スライドガイド部は、前記スライド部がスライドする際に、前記隔壁開口の内縁部に沿って移動するよう構成されており、
前記隔壁開口の内縁部には、スライドガイド部が乗り越え可能な乗り越え凸部が設けられている、請求項４に記載の揮散剤容器。
【請求項６】
前記隔壁には、前記上蓋の逆側に揮散体を保持する揮散体保持部が設けられている、請求項１〜５の何れか一項に記載の揮散剤容器。
【請求項７】
前記キャップ本体は、前記隔壁の外周縁部に連なる筒状の外周壁を有し、
前記外周壁には、揮散剤を揮散させる揮散孔が形成されている、請求項１〜６の何れか一項に記載の揮散剤容器。
【発明の詳細な説明】
【技術分野】
【０００１】
本発明は、容器本体に収容された芳香剤や消臭剤等の揮散剤を吸い上げて揮散させる揮散剤容器に関するものである。
【背景技術】
【０００２】
芳香剤等の内容液（揮散剤）を揮散させるのに使用される揮散剤容器としては、例えば、揮散剤を収容する容器本体と、容器本体に装着されるカバー体と、このカバー体の内側に配置される紙あるいはフェルト製等の板状の揮散体と、容器内の揮散剤を吸い上げて拡散板（揮散体）に染み込ませる吸い上げ芯とを備えるものが知られている（特許文献１参照）。
【先行技術文献】
【特許文献】
【０００３】
【特許文献１】特開２００１−２６１０８０号公報
【発明の概要】
【発明が解決しようとする課題】
【０００４】
しかしながら、上記の揮散剤容器では、揮散剤の揮散量をコントロールすることはできなかった。また、例えば、揮散剤の揮散量をコントロールするための部品等をカバー体に組み付ける場合には、揮散剤容器全体の構造が複雑化したり、部品数が増加してコストが増大したりする虞がある。
【０００５】
それゆえ本発明は、簡易な構成で、揮散剤の揮散量をコントロールすることが可能な揮散剤容器を提供することを目的とする。
【課題を解決するための手段】
【０００６】
本発明は、上記課題を解決するためになされたものであり、本発明の揮散剤容器は、揮散剤を収容する容器本体と、該容器本体に装着される揮散キャップとを備え、前記容器本体に収容された揮散剤を吸い上げて揮散させる揮散剤容器であって、
前記揮散キャップは、隔壁開口が形成された隔壁を有し、前記容器本体に装着されるキャップ本体と、前記隔壁開口を外側から覆うように前記隔壁に沿って配置される上蓋とを有し、
前記上蓋は、前記キャップ本体に一体に連結されるベース部と、前記隔壁に沿ってスライド可能なスライド部と、前記ベース部及び前記スライド部を一体に連結する折り畳み可能な連結片とを有し、前記ベース部と前記スライド部の間に形成される上蓋開口の開口面積を変更可能に構成されていることを特徴とするものである。
【０００７】
なお、本発明の揮散剤容器にあっては、前記ベース部は、ヒンジ部を介して前記キャップ本体に連結されていることが好ましい。
【０００８】
また、本発明の揮散剤容器にあっては、前記ベース部は、該ベース部を前記キャップ本体に係合保持するための係合部を有することが好ましい。
【０００９】
また、本発明の揮散剤容器にあっては、前記スライド部は、前記隔壁に対する該スライド部のスライド方向を規制するスライドガイド部を有することが好ましい。
【００１０】
また、本発明の揮散剤容器にあっては、前記スライドガイド部は、前記スライド部がスライドする際に、前記隔壁開口の内縁部に沿って移動するよう構成されており、
前記隔壁開口の内縁部には、スライドガイド部が乗り越え可能な乗り越え凸部が設けられていることが好ましい。
【００１１】
また、本発明の揮散剤容器にあっては、前記隔壁には、前記上蓋の逆側に揮散体を保持する揮散体保持部が設けられていることが好ましい。
【００１２】
また、本発明の揮散剤容器にあっては、前記キャップ本体は、前記隔壁の外周縁部に連なる筒状の外周壁を有し、
前記外周壁には、揮散剤を揮散させる揮散孔が形成されていることが好ましい。
【発明の効果】
【００１３】
本発明によれば、簡易な構成で、揮散剤の揮散量をコントロールすることが可能な揮散剤容器を提供することができる。
【図面の簡単な説明】
【００１４】
【図１】本発明の一実施形態に係る揮散剤容器の側面視での断面図である。
【図２】図１に示す揮散剤容器の平面図である。
【図３】図１に示す揮散剤容器の正面視での断面図である。
【図４】図１に示す揮散剤容器の未使用状態を示す側面視での断面図である。
【図５】図１に示す揮散剤容器の上蓋を開いた状態（全開状態）を示す側面視での断面図である。
【図６】図５に示す揮散剤容器の平面図である。
【図７】揮散キャップの展開状態を示す側面視での断面図である。
【図８】図７に示す揮散キャップの平面図である。
【発明を実施するための形態】
【００１５】
以下、図面を参照して、本発明の一実施形態に係る揮散剤容器１について詳細に説明する。図１は、正立姿勢の揮散剤容器１の側面視での部分断面図であり、図２は、平面図であり、図３は、正面視での断面図である。なお、本明細書、特許請求の範囲、及び要約書において、「上」側とは、容器本体１０に対して揮散キャップ２０が位置する側（図１における上側）であり、「下」側とはその反対側（図１における下側）である。また、後述する上蓋２３におけるスライド部２３ｃのスライド方向を前後方向とし、前後方向及び上下方向に垂直な方向を左右方向とする。
【００１６】
揮散剤容器１は、容器本体１０に収容された揮散剤を吸い上げて揮散させるものである。揮散剤容器１は、揮散剤の収容空間Ｓを有する容器本体１０と、容器本体１０に装着される揮散キャップ２０とを備えている。なお、収容空間Ｓに収容される内容液（揮散剤）としては、例えば、芳香剤、消臭剤、除湿剤、又は虫除け剤等の忌避剤などの揮散性の液体とすることができるが、これらに限られるものではない。
【００１７】
容器本体１０は、筒状の口部１１と、口部１１の下端部に連なる有底筒状の胴部１２とを備え、容器本体１０の内部に収容空間Ｓが形成されている。
【００１８】
本例の口部１１は円筒状であり、その外周面には雄ねじ部１１ａ及びネックリング１１ｂが設けられている。本例の胴部１２は、図２に示すように、平面視で略矩形状である。より具体的に、平面視において胴部１２は角部が丸みを帯びた長方形状であり、長辺方向を揮散剤容器１の前後方向とし、短辺方向を揮散剤容器１の左右方向としている。また、胴部１２の外面には、揮散キャップ２０を嵌合保持するための嵌合凹部１２ａが設けられている。本例の嵌合凹部１２ａは、胴部１２の周方向全体にわたって形成されているが、周方向の一部のみとしてもよい。胴部１２の底面には平坦な接地面が設けられており、容器本体１０は、図１に示すように口部１１の先端（上端）の開口が上向きとなる正立姿勢で載置することができるように構成されている。なお、容器本体１０は、口部１１が横向きとなる傾倒姿勢、もしくは口部１１が下向きとなる倒立姿勢で用いる構成としてもよい。
【００１９】
口部１１には、吸い上げ芯１３を保持するホルダー１４が装着されている。吸い上げ芯１３は、例えばフェルト材やパルプ材、合成樹脂製の多孔質体、繊維束体にて棒状に形成され、図示は省略するが、その下端は容器本体１０の胴部１２の底部まで延びている。これにより、容器本体１０内（収容空間Ｓ内）の揮散剤は吸い上げ芯１３に浸透し、吸い上げ芯１３の上端まで吸い上げられる。
【００２０】
ホルダー１４は、吸い上げ芯１３が落下しない程度に係合して吸い上げ芯１３を保持する係合筒１４ａを有する。また、本例のホルダー１４は、係合筒１４ａの上端部に連なり、上方に向けて径方向外側に傾斜する傾斜部１４ｂと、傾斜部１４ｂに連なり口部１１の軸線Ｏに平行な上筒部１４ｃと、上筒部１４ｃに連なる外向きフランジ部１４ｄと、外向きフランジ部１４ｄの下面から垂下するシール筒部１４ｅと、を有する。シール筒部１４ｅは、その外周面が口部１１の内周面に気密状態で当接する。なお、本例の吸い上げ芯１３は、ホルダー１４によって、先端部（上端部）が口部１１より上方に突出した起立状態で保持される。また、傾斜部１４ｂには、容器本体１０内の圧力が過度に上昇することを防止する貫通孔１４ｆが形成されている（図３参照）。
【００２１】
ここで、図４は、使用前の揮散剤容器１を示しており、容器本体１０の口部１１に装着された蓋体１５によって、収容空間Ｓが閉塞（密閉）されている。蓋体１５は、口部１１を外周側から取り囲む周壁１５ａと、周壁１５ａの上部を覆う天壁１５ｂとを備えている。周壁１５ａの内周面には雌ねじ部１５ｃが設けられていて、蓋体１５は口部１１にねじ止め保持される。天壁１５ｂの下面には、上筒部１４ｃの内周面に気密に当接する環状のシール壁１５ｄが設けられており、蓋体１５を取り除くまでは容器本体１０を未開封状態で維持することができる。なお、図４では吸い上げ芯１３を仮想線（二点鎖線）で示しているが、ホルダー１４に吸い上げ芯１３を設置した状態でも、設置していない状態でも蓋体１５を装着可能である。
【００２２】
図１〜３に示すように、揮散キャップ２０は、キャップ本体を構成する外周壁２１及び隔壁２２と、キャップ本体に一体に連結される上蓋２３とを備えている。本例の揮散キャップ２０は合成樹脂製であり、外周壁２１、隔壁２２及び上蓋２３が射出成形等により一体成形されたものである。
【００２３】
揮散キャップ２０は、口部１１を外側から覆うように、容器本体１０に対して着脱可能に装着される。外周壁２１は筒状であり、隔壁２２の外周縁部に連なっている。上蓋２３は、図１に示す使用状態において隔壁２２の上方に重ねて配置される。本例の上蓋２３は、ヒンジ部２４を介して外周壁２１に一体に連結されている。
【００２４】
外周壁２１は、胴部１２と平面視での形状が略同一となるような略矩形の筒状であり、容器本体１０に装着した状態で胴部１２の上部に滑らかに連なるように形成されている。外周壁２１の内周面の下端部には、嵌合凹部１２ａに嵌り込む嵌合凸部２１ａが設けられており、これにより、本例の揮散キャップ２０は、胴部１２に対して着脱可能に嵌合保持される。本例の嵌合凸部２１ａは、外周壁２１の前側及び後側における周方向の一部のみに設けられているが、これに限られず、外周壁２１の左右方向に設けてもよいし、周方向全体に設けてもよい。また、本例の外周壁２１には、外周壁２１を内外に貫通する複数の揮散孔２１ｂが形成されており、当該揮散孔２１ｂからも揮散剤が揮散されるように構成されている。なお、揮散孔２１ｂの大きさ、形状、数、位置等は適宜変更可能であり、また、外周壁２１に揮散孔２１ｂを設けなくてもよい。
【００２５】
隔壁２２は、外周壁２１の軸線（軸線Ｏに一致）に対して垂直に延在している。隔壁２２の中央部には、隔壁２２を貫通する隔壁開口２２ａが形成されている。本例では、隔壁２２の大部分にわたって、１つの略長方形状の隔壁開口２２ａが形成されているが、隔壁開口２２ａの形状、数、位置等は適宜変更可能である。また、隔壁２２には、隔壁２２から下方に向けて延在するとともに、上蓋２３の逆側（隔壁２２の下方）に揮散体２５を保持するためのフック部２２ｂ（揮散体保持部）が設けられている。本例では、隔壁開口２２ａの周囲の３箇所にフック部２２ｂが設けられている。より具体的に、本例では、隔壁開口２２ａを挟んで一方側（ヒンジ部２４側）に１つのフック部２２ｂが設けられ、他方側（ヒンジ部２４から遠い側）に左右一対（２つ）のフック部２２ｂが設けられているが、これに限られず、フック部２２ｂの形状、数、位置等は適宜変更可能である。また、本例の隔壁２２には、隔壁開口２２ａよりもヒンジ部２４側に位置する係合孔２２ｃが形成されている。係合孔２２ｃの形状、数、位置等は適宜変更可能である。
【００２６】
ここで、揮散体２５（含浸体）は、濾紙の他、フェルト材やパルプ材、合成樹脂製の多孔質体、繊維束体によってブロック状に形成されている。揮散体２５は、使用時においては吸い上げ芯１３の上端部に接触するものであり、吸い上げ芯１３で吸い上げられた揮散剤を浸透させて揮散させることができる。揮散体２５は、フック部２２ｂに保持された状態で上下に移動可能に構成されていてもよい。揮散体２５には、図２に示すように、折り畳み状態の連結片２３ｂが入り込む孔部２５ａが形成されている。揮散体２５は、キャップ本体の内側で、隔壁２２に平行に配置される。また、揮散体２５は、隔壁開口２２ａよりも平面視での面積が大きくなっており、隔壁開口２２ａの全体を下方から覆うように配置されている。
【００２７】
上蓋２３は、ヒンジ部２４によってキャップ本体の外周壁２１に一体連結されたベース部２３ａと、ベース部２３ａに対して折り畳み可能な連結片２３ｂを介して連結されたスライド部２３ｃとを有する。スライド部２３ｃは、図１、２に示す閉位置（上蓋２３が閉状態となる位置）と、図５、６に示す最大開放位置（上蓋２３が全開状態となる位置）との間でスライド可能に構成されている。すなわち、スライド部２３ｃは、ベース部２３ａに対して所定範囲内でスライド可能に構成されている。上蓋２３の閉状態での平面視形状は、隔壁２２の平面視形状と同一となっている。つまり、上蓋２３は、閉状態において隔壁開口２２ａを含めた隔壁２２全体を外側から覆うように構成されている。
【００２８】
スライド部２３ｃは、図２に示す閉位置においてベース部２３ａに隙間なく隣接配置される。これにより、隔壁開口２２ａが上蓋２３のベース部２３ａ及びスライド部２３ｃによって閉塞された状態となる。また、図５、６に示すように、スライド部２３ｃを開くことにより、ベース部２３ａとスライド部２３ｃとの間には、隔壁開口２２ａに連通する上蓋開口２３ｄが形成される。これにより、隔壁開口２２ａ及び上蓋開口２３ｄを介して揮散体２５を外部に露出させることができる。その結果、揮散体２５に含浸された揮散剤が、隔壁開口２２ａ及び上蓋開口２３ｄを通して外部に揮散されることとなる。このように、上蓋２３は、ベース部２３ａとスライド部２３ｃとの間に形成される上蓋開口２３ｄの開口面積を変更可能に構成されており、上蓋開口２３ｄの開口面積を変更することによって揮散剤の揮散量を調整することができる。
【００２９】
また、ベース部２３ａから離間する方向にスライド部２３ｃをスライドさせると、上蓋開口２３ｄの開口面積が徐々に（連続的に）拡大する。また、ベース部２３ａに近づく方向にスライド部２３ｃをスライドさせると、上蓋開口２３ｄの開口面積が徐々に縮小する。このように、本実施形態の揮散剤容器１にあっては、スライド部２３ｃをスライドさせることにより、上蓋開口２３ｄの開口面積が連続的に変化する構成となっているため、当該開口面積を微調整することが容易であり、その結果、揮散剤の揮散量を容易に微調整することが可能となる。
【００３０】
本例のベース部２３ａは平坦な板状であり、隔壁２２の上方に重ねて配置される。また、ベース部２３ａには、ベース部２３ａをキャップ本体に係合保持するための、係合突起２３ｅ（係合部）が設けられている。係合突起２３ｅは、ベース部２３ａの左右方向の中心部から、下向きに突出している。この係合突起２３ｅが、隔壁２２の係合孔２２ｃに挿入されて係合することで、ベース部２３ａが隔壁２２に対して移動不能に係合保持される。なお、本例では、ベース部２３ａの係合突起２３ｅが隔壁２２の係合孔２２ｃに係合する構成としたが、これに限られず、隔壁２２側に突起を設け、ベース部２３ａ側に当該突起が係合する孔又は凹部を設けてもよい。
【００３１】
連結片２３ｂは、図１〜３に示す折り畳み状態と、図５、６に示す展開状態との間で変形可能に構成されている。このように折り畳み可能な連結片２３ｂによって、ベース部２３ａとスライド部２３ｃとを一体に連結しつつ、ベース部２３ａとスライド部２３ｃとの距離を変更することが可能となる。なお、本例の連結片２３ｂは、中央の折り曲げ部を起点に２つ折りされる構成であるが、折り畳み形状は２つ折りに限定されない。また、本例の上蓋２３は、左右一対の合計２つの連結片２３ｂを有しているが、連結片２３ｂは１つのみでもよいし、３つ以上であってもよい。また、本例の連結片２３ｂは、ベース部２３ａ及びスライド部２３ｃに対して下向きに折り畳まれる構成としているが、これに限られず、上向きに折り畳まれる構成としてもよい。本例の連結片２３ｂは、図１〜３に示す折り畳み状態において、隔壁開口２２ａを貫通するように配置される。
【００３２】
また、本例の連結片２３ｂは、ベース部２３ａに対するスライド部２３ｃの移動範囲を制限する機能を有する。すなわち、スライド部２３ｃの移動範囲は、連結片２３ｂが最大まで展開した図５、６に示す最大開放位置までに制限される。なお、スライド部２３ｃの移動範囲を他の構成で制限するようにしてもよく、例えば、後述するスライドガイド部２３ｊが隔壁開口２２ａの前側の縁部に当接することで、スライド部２３ｃの最大開放位置を決定するようにしてもよい。
【００３３】
スライド部２３ｃは平坦な板状であり、隔壁２２の上方に重ねて配置される。スライド部２３ｃの上面には、スライド操作の際に指を掛けるための指掛け部２３ｆが設けられている。なお、本例の指掛け部２３ｆは、スライド部２３ｃの上面に形成された凹部で構成されているが、凸部であってもよい。また、指掛け部２３ｆは、スライド部２３ｃにおけるベース部２３ａ側の端部に設けられているが、指掛け部２３ｆの位置は適宜変更可能である。
【００３４】
スライド部２３ｃにおけるベース部２３ａ側の端部には、ベース部２３ａ側に向けて突出する係合保持部２３ｇが設けられている。図１に示す上蓋２３の閉状態において、ベース部２３ａの下面に設けた被係合部２３ｈに係合保持部２３ｇが係合することで、振動や落下等により意図せずスライド部２３ｃが開くことを抑制することができる。
【００３５】
スライド部２３ｃには、下方に突出する左右一対のスライドガイド部２３ｊが設けられている。一対のスライドガイド部２３ｊはそれぞれ、隔壁２２における隔壁開口２２ａの左右の内縁部２２ｄに係合している。これにより、スライドガイド部２３ｊは、スライド部２３ｃのスライド方向を規制する。すなわち、スライド部２３ｃは、スライドガイド部２３ｊが隔壁開口２２ａの左右の内縁部２２ｄに沿って、隔壁２２に平行に前後方向に真っ直ぐに移動することとなる。なお、隔壁開口２２ａの左右の内縁部２２ｄは、前後方向に直線状に延在している。
【００３６】
本例のスライド部２３ｃは、左右の内縁部２２ｄに下方から係合しており、これにより、スライド部２３ｃが隔壁２２から上方に離間することを防止している。
【００３７】
本例の隔壁開口２２ａの左右の内縁部２２ｄにはそれぞれ、スライドガイド部２３ｊが乗り越え可能な乗り越え凸部２２ｅが、間隔を空けて２箇所に設けられている。スライド部２３ｃをスライド操作する際に、スライドガイド部２３ｊが乗り越え凸部２２ｅを乗り越える際の感触により、上蓋開口２３ｄがどの程度開いたかの目安にすることができる。また、乗り越え凸部２２ｅを設けることで、スライド部２３ｃをスライド操作する際に所定量の抵抗を付与することができる。これにより、スライド部２３ｃを、所定の位置に安定した状態で保持して、外部からの衝撃や振動等により、上蓋開口２３ｄの開口面積が意図せず変化しないようにすることも可能である。
【００３８】
ここで、図７は、射出成形等により形成された展開状態の揮散キャップ２０を示した側面図であり、図８はその平面図である。このように、本実施形態では揮散キャップ２０を一体成形することができるので、部品数を少なくすることができ、その結果、製造コスト及び組立ての手間等を低減することができる。
【００３９】
なお、成形後の（展開状態の）揮散キャップ２０を使用可能な状態にセットする際には、例えば、図７、８に示す展開状態から、ヒンジ部２４を支点に上蓋２３を揺動させて（折り返して）隔壁２２の係合孔２２ｃにベース部２３ａの係合突起２３ｅを係合させ、また、連結片２３ｂを隔壁２２側に折り畳んだ状態でスライド部２３ｃを隔壁２２上に配置することで、図１〜３に示す上蓋２３の閉状態とすることができる。なお、スライド部２３ｃを隔壁２２上に配置する際には、スライドガイド部２３ｊを隔壁開口２２ａの左右の内縁部２２ｄの内側に嵌め込む。このように、スライドガイド部２３ｊが隔壁開口２２ａの左右の内縁部２２ｄに係合することにより、スライドガイド部２３ｊは隔壁２２に対して抜け止め保持される。
【００４０】
以上の通り、本実施形態の揮散剤容器１は、容器本体１０と、揮散キャップ２０とを備え、揮散キャップ２０は、隔壁開口２２ａが形成された隔壁２２を有するキャップ本体と、隔壁開口２２ａを外側から覆うように隔壁２２に沿って配置される上蓋２３とを有し、上蓋２３は、ベース部２３ａと、隔壁２２に沿ってスライド可能なスライド部２３ｃと、ベース部２３ａ及びスライド部２３ｃを一体に連結する折り畳み可能な連結片２３ｂとを有し、上蓋開口２３ｄの開口面積を変更可能な構成としている。このような構成により、揮散剤の揮散量をコントロールするための部品等を新たに組み付ける必要がなく、容器全体の構造が複雑化したり、部品数が増加したりすることなく簡易な構成とすることができる。また、本実施形態の揮散剤容器１にあっては、スライド部２３ｃをスライドさせて上蓋開口２３ｄの開口面積を変更する操作のみで、揮散剤の揮散量を容易に調整することができる。
【００４１】
このように、本実施形態の揮散剤容器１によれば、簡易な構成で、揮散剤の揮散量をコントロールすることが可能となる。
【００４２】
また、本実施形態の揮散剤容器１にあっては、スライド部２３ｃが隔壁２２に沿ってスライドする構成としたことで、図５、６に示すように上蓋２３を全開状態にした際には揮散体２５を大きく露出させることができる。一方、図１〜３に示すように上蓋２３を閉状態とすることで、揮散量が最小となり、揮散孔２１ｂのみから揮散剤が揮散することとなる。このように、本実施形態の揮散剤容器１にあっては、揮散量の調整幅が大きく、幅広い使用者の好みに対応することが可能となる。
【００４３】
上述したところは、本発明の一例を示したにすぎず、特許請求の範囲において、種々の変更を加えることができる。例えば、上述の揮散剤容器１にあっては、容器本体１０の嵌合凹部１２ａに揮散キャップ２０の嵌合凸部２１ａが嵌合する構成としていたが、これに限られず、容器本体１０に揮散キャップ２０がねじ係合する構成としてもよい。
【符号の説明】
【００４４】
Ｏ：軸線
Ｓ：収容空間
１：揮散剤容器
１０：容器本体
１１：口部
１１ａ：雄ねじ部
１１ｂ：ネックリング
１２：胴部
１２ａ：嵌合凹部
１３：吸い上げ芯
１４：ホルダー
１４ａ：係合筒
１４ｂ：傾斜部
１４ｃ：上筒部
１４ｄ：外向きフランジ部
１４ｅ：シール筒部
１４ｆ：貫通孔
１５：蓋体
１５ａ：周壁
１５ｂ：天壁
１５ｃ：雌ねじ部
１５ｄ：シール壁
２０：揮散キャップ
２１：外周壁（キャップ本体）
２１ａ：嵌合凸部
２１ｂ：揮散孔
２２：隔壁（キャップ本体）
２２ａ：隔壁開口
２２ｂ：フック部（揮散体保持部）
２２ｃ：係合孔
２２ｄ：隔壁開口の左右の内縁部
２２ｅ：乗り越え凸部
２３：上蓋
２３ａ：ベース部
２３ｂ：連結片
２３ｃ：スライド部
２３ｄ：上蓋開口
２３ｅ：係合突起（係合部）
２３ｆ：指掛け部
２３ｇ：係合保持部
２３ｈ：被係合部
２３ｊ：スライドガイド部
２４：ヒンジ部
２５：揮散体
２５ａ：孔部
【図１】
2020183244.tif 000003
【図２】
2020183244.tif 000004
【図３】
2020183244.tif 000005
【図４】
2020183244.tif 000006
【図５】
2020183244.tif 000007
【図６】
2020183244.tif 000008
【図７】
2020183244.tif 000009
【図８】
2020183244.tif 000010